(57)【要約】【課題】  カラーカード内にあるメインカラーを中心のそのメインカラーを中心にそのメインカラーが表示されたカラーカード及びそのカラーカードの前後にあるカラーカードに表示されている多くの色からメインカラーとマッチングした色を容易に選択することができ、それを用いて配色されたカラー見本帳がそれを構成する色見本カード相互間に関連性を持たせ、色の調和を考慮することで、カラー見本帳全体のまとまりのある統一感を持ったカラー見本帳を提供する。【解決手段】  メインカラーとその他の色からなる３色以上の色表示部を有するカラーカード複数枚を順番に組合わせたカラー見本帳であって、特定された１枚のカラーカードのメインカラーとなる色の色相が、その特定された１枚のカラーカードの前後の少なくとも一方で接しているカラーカードに表示された色からなる色相範囲内に含まれるものである。【選択図】    なし【特許請求の範囲】
【請求項１】
メインカラーとその他の色からなる３色以上の色表示部を有するカラーカード複数枚を順番に組合わせたカラー見本帳であって、
特定された１枚のカラーカードのメインカラーとなる色の色相が、
その特定された１枚のカラーカードの前後の少なくとも一方で接しているカラーカードに表示された色からなる色相範囲内に含まれるものであることを特徴とするカラー見本帳。
【請求項２】
前記カラーカードに表示された３色以上の色がそれぞれ明度又は彩度が異なることを特徴とする請求項１に記載のカラー見本帳。
【請求項３】
前記カラーカードのメインカラーの表示部が同一カラーカード内にある色の表示部より大きいことを特徴とする請求項１又は請求項２に記載のカラー見本帳。
【請求項４】
前記カラーカードのメインカラーの表示部がカラーカードの中心部分にあることを特徴とする請求項１ないし請求項３のいずれかに記載のカラー見本帳。
【発明の詳細な説明】
【技術分野】
【０００１】
この発明は、建築物などの構造物の塗装に用いられる塗料について、その塗料から得られる色を示し、それらの色から希望する色を選択するためのカラー見本帳に関するものである。
【背景技術】
【０００２】
従来から、色見本カードやそのカードを複数枚組合わせた色見本帳による色の提案、選択を行ない、塗料の乾燥硬化した後の色を決定することが多い。この色見本カードの多くは、マンセル値などにより数値化し、その数値を記号化し、その記号や数値を元にして順番に配列して表示した見本帳が多く存在している。
このマンセル値は、色を色相、明度、彩度に区分し、それぞれを数値化し、その３つの数値を組合わせて表したものである。
【非特許文献１】（社）日本塗料工業会  塗料用標準見本帳  この見本帳は、色見本帳の代表的なもので、多くの場合に用いられるものであり、色相順に色を配置し、明度，彩度の順番に変化させた色を順番に並べ表したものである。
【発明の開示】
【発明が解決しようとする課題】
【０００３】
ところが、このような色見本帳では、一枚の色見本カードの中にメインカラーと他のカラーなどといった色の強弱を設けることなく単に数値順に並べたものであり、前後の色の違いをはっきりさせなければいけないことから、色相の差を大きくすることや明度，彩度に差を設けるなどといったことが行われている。
これにより色見本帳を構成する色見本カード相互間に関連性が少なく、色の調和を考慮していないことから色見本全体の色の統一感が薄く、色見本帳自体の配色に滑らかさやしなやかさが欠けるものであり、希望する色を適確に選択することが困難な場合がある。又、色の選択作業が単調で、機械的なることがものである。
【０００４】
また、このような色見本カード、色見本帳などを用いた場合では、まとまりのある２以上の色を選択すること，ある１色に対してまとまりのある色を選択することなど、２以上の色を統一感があって、まとまりのある配色にすることが難しいことがある。
特に、建築物などの構造物では、統一感やまとまりのある色を選択することが必要な場合が多くある。統一感やまとまりのある色を選択できない場合では、その構造物の外観に関して、構造物の外観上、色彩の違和感が生じ、周りの自然環境，建築物などとの協調し難いことがある。又、室内においては、色彩の違和感から落ち着きがなくなることがある。
つまり、従来のものでは、単色としての色を表現したものであり、それにより複数の色を組合わせて、統一感のあるまとまったものではなかった。
【０００５】
この発明は、上記のような従来技術に存在する問題点に着目してなされたものである。その目的とするところは、カラーカード内にあるメインカラーを中心のそのメインカラーを中心にそのメインカラーが表示されたカラーカード及びそのカラーカードの前後にあるカラーカードに表示されている多くの色からメインカラーとマッチングした色を容易に選択することができ、それを用いて配色されたカラー見本帳がそれを構成する色見本カード相互間に関連性を持たせ、色の調和を考慮することで、カラー見本帳全体のまとまりのある統一感を持ったカラー見本帳を提供することにある。
【課題を解決するための手段】
【０００６】
上記の目的を達成するために、請求項１に記載の発明のカラー見本帳は、メインカラーとその他の色からなる３色以上の色表示部を有するカラーカード複数枚を順番に組合わせたカラー見本帳であって、特定された１枚のカラーカードのメインカラーとなる色の色相が、その特定された１枚のカラーカードの前後の少なくとも一方で接しているカラーカードに表示された色からなる色相範囲内に含まれるものであることを要旨とする。
【０００７】
請求項２に記載の発明のカラー見本帳は、請求項１に記載の発明において、前記カラーカードに表示された３色以上の色がそれぞれ明度又は彩度が異なることを要旨とする。
【０００８】
請求項３に記載の発明のカラー見本帳は、請求項１又は請求項２に記載の発明において、前記カラーカードのメインカラーの表示部が同一カラーカード内にある色の表示部より大きいことを要旨とする。
【０００９】
請求項４に記載の発明のカラー見本帳は、請求項１ないし請求項３のいずれかに記載の発明において、前記カラーカードのメインカラーの表示部がカラーカードの中心部分にあることを要旨とする。
【発明の効果】
【００１０】
請求項１に記載の発明のカラー見本帳によれば、カラーカード内にあるメインカラーを中心のそのメインカラーを中心にそのメインカラーが表示されたカラーカード及びそのカラーカードの前後にあるカラーカードに表示されている多くの色からメインカラーとマッチングした色を容易に選択することができ、それを用いて配色されたカラー見本帳がそれを構成する色見本カード相互間に関連性を持たせ、色の調和を考慮することで、カラー見本帳全体のまとまりのある統一感を持ったものである
【００１１】
請求項２に記載の発明のカラー見本帳によれば、請求項１に記載の発明の効果に加え、１枚のカラーカードに多くの色を表現することができ、メインカラーとマッチングした色を多くの色から容易に選択することができるものである。
【００１２】
請求項３に記載の発明のカラー見本帳によれば、請求項１又は請求項２に記載の発明の効果に加え、メインカラーの表示色が分かり易く、メインカラーを中心にそのメインカラーとマッチングした色を容易に選択することができるものである。
【００１３】
請求項４に記載の発明のカラー見本帳によれば、請求項１ないし請求項３のいずれかに記載の発明の効果に加え、メインカラーの表示が分かり易く、メインカラーを中心にそのメインカラーとマッチングした色を容易に選択することができるものである。
【発明を実施するための最良の形態】
【００１４】
以下、この発明の実施形態を詳細に説明する。
この発明でのカラー見本帳は、複数のカラーカードから構成され、そのカラーカードには、３色以上の色が表示されているものであり、その表示されている色は、塗料が乾燥硬化した後に形成される塗膜の色を選択、確認などを行なうもので、塗料により塗装される被覆物の塗装により得られる色を選択及び得られた色を確認するためのものである。
【００１５】
塗装前に選択した色と得られた色が同じであるかを確認する場合では、このような複数の色が表示されているカラー見本帳を用いることなく、１色のみ表示されている色見本を用いれば済むが、塗装前に色を選択する場合では、このような複数で、より多くの色が表示されているカラーカード及びそれを複数枚組合わせた色見本帳が必要となる。
【００１６】
この発明に記載されたカラー見本帳は、主として、塗装前に色を選択する場合に用いられるものであるため、多くの色が示されているカラー見本帳であり、そのカラー見本帳を構成するカラーカードには、３以上の色が表示されているものである。
このように３以上の色が表示されていることにより、そのカラーカードにある色の中からメインカラーを設定することができ、その設定されたメインカラーが他の色との区別がつき易く、識別が容易となる。このカラーカードでのメインカラーの設定する場合、メインカラーの表示部がそのカラーカードの中で他の色の表示部より大きくすることで、識別が容易となり、そのメインカラーとマッチングした色をより容易に選択することができる。
【００１７】
このメインカラーの表示部がカラーカードの中心部分にあることによりそのカラーカードでのメインカラーの識別や認識が容易であり、そのメインカラーとマッチングした色をより容易に選択することができる。
また、このカラーカードを複数枚組合わせたカラー見本帳の束ね方がカラーカードの端部を留め具によって留められたものである場合では、そのカラーカードのメインカラー表示部が中心部分の他に留められた端部の反対側に表示部を設けてあってもメインカラーの識別や認識が容易なものである。又、このカラーカードの束ね方については、後述する。
【００１８】
このメインカラーは、１枚のカラーカードに表示している色の中で代表的な色のことであり、このメインカラーを基にして、１枚のカラーカード内にある他の色を決めることになる。そのカラーカード全体の印象やイメージが決定される重要なものである。
このメインカラーは、最も薄い淡色もしくは中間的な中間色であることが好ましく、最も濃い濃色の場合では、その濃色の印象が大きく、他の淡色，中間色の印象が薄くなり、色の選択が難しくなることがある。又、カラーカード間のメインカラーの印象が強すぎて、まとまりのないカラー見本帳となることやカラーカードが全体的に暗くなり、カラー見本帳のイメージが悪くなることがある。
【００１９】
最も薄い淡色をメインカラーとした場合、カラーカード間のメインカラーの明度が近くなり、全体的にまとまりがあり、淡色をメインカラーとしたことにより、明るいイメージのカラー見本帳となる。
また、１枚のカラーカードのメインカラーを最も薄い淡色にすることで、一番目立ち難い淡色を人為的に一番目立つようにすることにより、メインカラー以外の他の色のイメージが少なく、影響を受け難くなり、淡色に比べ印象が強い濃色，中間色などとのバランスが取れ、色の選択が比較的容易なものとなり、カラーカード全体として優れたものとなる。
【００２０】
中間的な中間色をメインカラーとした場合では、複数のカラーカードから色を選択する場合において、中間色のメインカラーから選択し、その選択した色があるカラーカードからその色より薄い色又は濃い色を確認し、最終的な色を決定することができる。又、そのカラーカードの隣りなど近くにあるカラーカードにある色からも確認し、最終的な色を決定することができる。このように、色の選択が行い易く、好ましい形態の１つである。
【００２１】
このカラー見本帳は、特定された１枚のカラーカードにあるメインカラーの色相が、その特定された１枚のカラーカードの前後の少なくとも一方で接しているカラーカードの色相範囲内に含まれるものである。それにより、特定された１枚のカラーカードのメインカラーにマッチングした色をそのカラーカードにある他の色及びそのカラーカードの前にあるカラーカード及び／又は後にあるカラーカードから選択することができることで、その選択する色も多くの色の中から選ぶことができ、更に、メインカラーの近くにある色から選ぶことができるため、比較的容易で、早く選ぶことができる。
【００２２】
また、そのようなカラー見本帳は、ある特定したカラーカードのメインカラーの色相に近い色をその周辺に配置することとなり、その配色が順じ変化することで、違和感無く色見本を配置することができ、まとまりがあって、統一感のものとすることができる。
一般的に色には、色相、明度及び彩度の属性があり、それにより色を表現することがある。色相は、赤、青、黄などの色みの違いをいうものであり、この色みのない色のことを無彩色といい、白、黒、灰色などがあり、赤、青、黄など色みのあるもののことを有彩色という。
【００２３】
この有彩色の色相は、図１に示された色相環を用いて表すことがある、この色相環は、赤（５Ｒ），橙（５ＹＲ），黄（５Ｙ），黄緑（５ＧＹ），緑（５Ｇ），青緑（５ＢＧ），青（５Ｂ），藍（５ＰＢ），紫（５Ｐ），赤紫（５ＲＰ）の代表的な１０色を順に時計回りに、等間隔で円の周囲に配置し、表示したものであり、それぞれの色を数字とアルファベットとの組み合わせで表示し、その代表的な色の間を更に４分割し、細かく色相を表示し、色相全体を４０分割した色相環を図２に示す。
【００２４】
この色相環は、赤の中心を５Ｒとし、時計回り方向にある橙の中心である５ＹＲに向かって、５Ｒ→７．５Ｒ→１０Ｒ→２．５ＹＲ→５ＹＲと赤色が時計回り方向に進むとだんだん橙色に近づくことを表したもので、他の色に関しても同様なもので、更に、７．５ＹＲ→１０ＹＲと続き、一周するものである。
この図２に示した４０分割の色相環により色相の用いられることが多く、他に色相環全体を１００分割したものもあり、近年、その色相環をより細かく表すことも多くなりつつある。
【００２５】
より細かくした表し方は、例えば、７．８Ｒ，５．５Ｒ，０．２Ｒなどといったようにその数値を１／１０の位まで表す（１０００分割の色相環）ことや場合によっては、０．０４ＧＹなどといったように、その数値を１／１００の位まで表す（１００００分割の色相環）ことがある。このように細かく表示することで、無数に存在する色相をより詳細に表現することが可能である。
このように色相環は、赤から黄，緑，青，紫，そして、また赤に戻るといった色の変化を表したものである。これがマンセル表色系の色相表示であり、この色相及び後述する彩度，明度を組合わせて色を数値表示したものがマンセル値である。
【００２６】
この発明での色相範囲とは、カラー見本帳を構成する複数のカラーカードの内、その中の任意の１枚に表示されている３以上の色の色相が含まれる角度の範囲のことで、例えば、１枚のカラーカードに表示されている色が３色あって、その色が赤（５Ｒ），黄緑（５ＧＹ），青（５Ｂ）の場合では、その色相範囲は、最小角度となる５Ｒ→５ＧＹ→５Ｂの順に角度を形成する範囲が色相範囲であり、図３（１）に示したように０°〜２１６°と角度により表すことになる。
【００２７】
また、図３（２）のように赤（５Ｒ），黄と黄緑の中間色（１０Ｙ），青緑（５ＢＧ），紫（５Ｐ）であるような場合では、その色相範囲が５Ｐ→５Ｒ→１０Ｙ→５ＢＧの順で形成される範囲で、２８８〜９０°の範囲となり、又、図３（３）のように赤（５Ｒ），黄と黄緑の中間色（１０Ｙ），青緑（５ＢＧ），藍（５ＰＢ）であるような場合では、その色相範囲が５Ｒ→１０Ｙ→５ＢＧ→５ＰＢの順で形成される範囲で、０°〜２５２°の範囲となる。
【００２８】
このようにして色相範囲を決めるが、複数の色が等間隔にある場合などでは、色相範囲が３６０°を全てになってしまい、色相範囲が無いものとなる。例えば、図４（１）のように４色（５Ｒ，１０Ｙ，５ＢＧ，１０ＰＢ）が等間隔に並ぶ場合や図４（２）のように５色（５Ｒ，５Ｙ，５Ｇ，５Ｂ，５Ｐ）が等間隔に並ぶ場合などである。
【００２９】
また、図４（３）のようなに赤と黄緑の中間色（１０Ｒ），黄（５Ｙ），青緑（１０ＢＧ），（５ＰＢ）の４色の場合などでは、１０Ｒ→５Ｙ→５ＢＧ→５ＰＢの順で形成される１８°〜２５２°の範囲と１０ＢＧ→５ＰＢ→１０Ｒ→５Ｙの順で形成される１９８°〜７２°の範囲と２つの同じ角度で色相範囲を持つことになる。このように色相範囲が２つ生じることは、逆に最小の色相範囲が無いこととなる。
【００３０】
このようにこの発明の色相範囲は、１枚のカラーカードに表示されている複数の色を色相環に並べ、その色を全て含む最小の角度のことである。
上記のように１枚のカラーカードの色相範囲を設定する。この色相範囲を設定したカラーカードの前後の少なくとも一方で接しているカラーカードのメインカラーがこの色相範囲に含まれるものである。つまり、複数枚あるカラーカードのうち、その中から任意のものを選択した場合、そのカラーカードのメインカラーが、次にあるカラーカード、又は、その前にあるカラーカードの色相範囲に含まれているものである。
【００３１】
このような構成にすることで、カラーカード内にあるメインカラーを中心のそのメインカラーを中心にそのメインカラーが表示されたカラーカード及びそのカラーカードの前後にあるカラーカードに表示されている多くの色からメインカラーとマッチングした色を容易に選択することができ、それを用いて配色されたものがまとまりのある統一感をもった仕上がりとすることができるものである。
【００３２】
また、カラー見本帳を構成する複数のカラーカードに表示されている色相が連続的に変化すること、又、その色相範囲がそれぞれのカラーカードによって異なることで、１つのカラー見本帳で、多くの色を違和感無く表示することができるものを得ることができる。
さらに、色には、色相以外の要素として、明度，彩度を合わせて表現されることが多い。この明度は、明るさの度合いをいうものであり、明度が低い場合は、黒っぽい色のものを指し、高いものは、白っぽい色を指す。彩度は、色の鮮やかさを表すものであり、彩度が低い場合は、黒っぽいくすんだ色みの少ない色のものを指し、大きいものは、鮮やかな色みの強い色のものを指す。
【００３３】
さらに、明度と彩度の概念を合わせた色調により色の印象を表すことがある。この色調は、明度と彩度とが変化することにより色の調子が変化することであり、色の濃さや明るさに大きく影響するものであり、それぞれ数値により表すことにより表現されるものである。
明度は、無彩色を含め２〜９の８段階により表し、明度は、０から１，２，３・・・と可能な限りすことが一般的であり、近年では、より細かく１／１０の位までで表現されることが多い。
【００３４】
この色の表示としてマンセル記号を用いた場合、色相明度／彩度（○○△××／◇◇）の順に表示し、○×◇の部分には、それぞれの数字が入り、△の部分には、大まかな色を表現した大文字アルファベットが入り、７．５ＹＲ４．８／３．０，５．０ＰＢ４．１／２．０，１０．０ＧＹ６．８／１．８などのように表して用いられるものである。
【００３５】
また、このような色相，明度，彩度は、一般的なカラーカードには、マンセル記号として表示される場合が多いが、表示されていない場合には、測色計により測定が可能であり、この測色計の種類によっては、色相，明度，彩度を直接測定ができるものもあれば、他の色の測定値を換算することにより求めることも可能である。
【００３６】
このカラー見本帳を構成する１枚のカラーカードは、３色以上の色が表示され、その色の明度又は彩度がそれぞれ異なるものが好ましいものである。より好ましくは、明度と彩度の両方がそれぞれ異なるものである。
これにより、１枚のカラーカード内において、そのカラーカードのメインカラーと違和感のない色で、メインカラーにマッチングした色を簡単に多く表示でき、又、その表示された色から容易に選択することができる。
【００３７】
次に、このカラー見本帳について詳細に説明する。
このカラー見本帳は、複数枚のカラーカードを組合わせたものであるため、これらのカラーカードを束ねる必要がある。その束ね方として、バラバラの１枚単位のカラーカードをゴム，紐などで束ねたり、ケースに収めたりすることがある。又、カラーカードの端部を留め具によって留めるなどの方法が取られる。これらのような束ね方により、１枚のカラーカードを複数枚集め、カラー見本帳とするものである。この束ね方のうち、留め具を用いて留めることが多く行われている。留め具を用いることにより、１枚単位のカラーカードがバラバラになることなく、そのカラーカードの順番を乱すことなく、カラー見本帳の使用，保管ができる。
【００３８】
このような留め具を用いて束ねたカラー見本帳の一例として図５に示したものが挙げられる。この図示したカラー見本帳１１は、複数枚のカラーカード１２を鋲のような留め具１３を用いて束ねたものである。この留め具による留め位置が、カラーカードの端部中央であるが、端部中央に限らずカラーカードの隅角部であっても良い。
【００３９】
このカラー見本帳を広げた状態を図６に示す。この状態が複数枚のカラーカードから色を選択する場合のカラー見本帳の使い方の一例となることが多い。
この図５及び図６に示したカラー見本帳１１は、１枚のカラーカード１２が長方形で、そのカラーカードには、３色の色を表示したものであって、その３色は、最も薄い色である淡色を表示した部分が淡色表示部１４、中間的な色を表示した部分が中間色表示部１５、最も濃い色を表示した部分が濃色表示部１６である。
【００４０】
このカラーカード１２は、長方形などの矩形状のものであることが好ましく、これにより、複数枚のカラーカード１２から構成されるカラー見本帳１１の作成、保管、輸送などの効率が向上することがある。又、各色の表示部１４〜１６の形状は、特に制限はないが、矩形状のものが好ましく、各色の表示部１４〜１６に示された色見本の面積の違いが判り、矩形状のカラーカード内に効率的に示すことができる。
【００４１】
このカラーカード１２に示された各色の表示部１４〜１６は、淡色表示部１４の表示面積が他の表示部より大きく、中間色表示部１５と濃色表示部１６とでは、
濃色表示部１６の方が多少小さい面積で表示されているもので、淡色表示部１４がカラーカード１２の中央部分にあり、留め具側に濃色表示部１６をその反対側に中間色表示部１５を配したものである。
【００４２】
このカラーカード１２は、淡色表示部１４をメインカラーとするものである。
このカラー見本帳１１を構成する複数のカラーカード１２のうち、任意の連続した３枚カラーカード１２を選び、その中の真中の１枚を特定し、その特定したカラーカード１２ｂは、その隣り合うカラーカード１２ａ，カラーカード１２ｃとは、そのカラーカード１２ｂのメインカラーである淡色表示部１４ｂある色の色相がカラーカード１２ａ，カラーカード１２ｃの色相範囲内に含まれている関係にあり、その各カラーカード１２に表示されている色，色相角度及びカラーカードの色相範囲を示す。
【００４３】
カラーカード１２ａ
（表示部）            （マンセル値）          （色相角度）
淡色表示部１４ａ    ２．７ＧＹ８．４／０．９    ９９．７２°
中間色表示部１５ａ  ８．７Ｙ６．９／１．２      ８５．３２°
濃色表示部１６ａ    ０．４ＧＹ５．４／１．２    ９１．４４°
色相範囲：８５．３２°〜９９．７２°
【００４４】
カラーカード１２ｂ
（表示部）            （マンセル値）          （色相角度）
淡色表示部１４ｂ    ０．３ＧＹ９．０／１．１    ９１．０８°
中間色表示部１５ｂ  ６．２Ｙ８．４／１．１      ７６．３２°
濃色表示部１６ｂ    ０．１ＧＹ６．４／１．７    ９０．３６°
色相範囲：７６．３２°〜９１．０８°
【００４５】
カラーカード１２ｃ
（表示部）            （マンセル値）          （色相角度）
淡色表示部１４ｃ    ５．９Ｙ８．８／１．０      ７５．２４°
中間色表示部１５ｃ  ０．４ＧＹ８．２／１．１    ９１．４４°
濃色表示部１６ｃ    ８．７Ｙ６．２／１．８      ８５．３２°
色相範囲：７５．２４°〜９１．４４°
【００４６】
これら３枚のカラーカード１２は、黄色から黄緑にかけての色を表示したものであり、明度及び彩度が１枚のカラーカードの中で異なっているため、色調が豊かなカラーカードである。
この場合、特定したカラーカード１２ｂのメインカラーは、マンセル値で０．３ＧＹ９．０／１．１であり、その色相角度は、９１．０８°である。このカラーカードより前頁にあり、隣り合う関係にあるカラーカード１２ａの色相範囲は、８５．３２°〜９９．７２°であり、カラーカード１２ｂのメインカラーの色相角度が含まれる関係である。又、カラーカード１２ｂの後頁にあり、隣り合う関係にあるカラーカード１２ｃの色相範囲は、７５．２４°〜９１．４４°であり、カラーカード１２ｂのメインカラーの色相角度が含まれる関係である。
【００４７】
このようなカラー見本帳の中の特定された１枚のカラーカードにあるメインカラーの色相が、その特定された１枚のカラーカードの少なくとも一側で隣り合うカラーカードの色相範囲内に含まれるものであることで、それを用いて配色されたものがまとまりのある統一感をもった仕上がりとすることができる。
さらに、上記関係がカラーカード１２ｃより後頁以降続いた場合では、カラーカードに表示されているより多くの色からメインカラーとマッチングした色を容易に選択することができるものとなる。
【００４８】
この場合をカラーカード１２ｃ以降の頁にあるカラーカード１２ｄ，１２ｅ，１２ｆを用いて説明する。
カラーカード１２ｄ
（表示部）            （マンセル値）          （色相角度）
淡色表示部１４ｄ    ６．２Ｙ８．５／１．２      ７６．３２°
中間色表示部１５ｄ  ５．７Ｙ６．８／２．５      ７４．５２°
濃色表示部１６ｄ    ９．５Ｙ４．６／２．０      ８８．２０°
色相範囲：７４．５２°〜８８．２０°
【００４９】
カラーカード１２ｅ
（表示部）            （マンセル値）          （色相角度）
淡色表示部１４ｅ    ５．２Ｙ８．２／１．０      ７２．７２°
中間色表示部１５ｅ  ７．７Ｙ６．８／１．８      ８１．７２°
濃色表示部１６ｅ    ３．６Ｙ３．８／１．１      ６６．９６°
色相範囲：６６．９６°〜８１．７２°
【００５０】
カラーカード１２ｆ
（表示部）            （マンセル値）          （色相角度）
淡色表示部１４ｆ    ４．５Ｙ８．４／１．０      ６８．４０°
中間色表示部１５ｆ  ４．０Ｙ７．５／１．８      ８１．７２°
濃色表示部１６ｆ    １．４Ｙ３．７／１．６      ５９．０４°
色相範囲：５９．０４°〜８１．７２°
【００５１】
この連続したカラーカード１２ａ〜１２ｆの６枚について、特定するカラーカード１２をカラーカード１２ｃとした場合、そのメインカラーの色相角度が７５．２４°であり、カラーカード１２ｂの色相範囲が７６．３２°〜９１．０８°とあり、カラーカード１２ｂの色相範囲には、わずかに該当しないが、次頁であるカラーカード１２ｄの色相範囲の７４．５２°〜８８．２０°には含まれるものである。
【００５２】
次に、カラーカード１２ｄを特定のカラーカード１２とした場合、メインカラーの色相角度が７４．５２°で、カラーカード１２ｃの色相範囲が７５．２４°〜９１．４４°、カラーカード１２ｅの色相範囲が６６．９６°〜８１．７２°となり、カラーカード１２ｄのメインカラーの色相角度がカラーカード１２ｅの色相範囲に含まれるものである。
【００５３】
また、カラーカード１２ｅの場合では、そのメインカラーの色相角度が７２．７２°で、カラーカード１２ｄの色相範囲が７４．５２°〜８８．２０°で、カラーカード１２ｆの色相範囲が５９．０４°〜８１．７２°であり、カラーカード１２ｅのメインカラーの色相角度がカラーカード１２ｆの色相範囲に含まれるものである。
このように、カラーカード１２ａ〜１２ｆのように連続したカラーカード１２において、メインカラーの色相角度が次のカラーカード１２の色相範囲内であり、それが順番に続くことで、カラー見本帳１１を用いて、色の選択を行うに際して、よりまとまり，統一感をもったものとすることができ、カラーカードに表示されているより多くの色からメインカラーとマッチングした色を容易に選択することができるものとなる。
【００５４】
また、１枚毎のカラーカード１２の色相範囲が異なることで、カラー見本帳を見て、色の選択を行う場合に、色の変化に富んだカラー見本帳であることで、単調になることが少ないものである。
【００５５】
次に、前記実施形態から把握できる技術的思想について以下に記載する。
・  前記メインカラーの表示部がカラーカードの中心部分にあることを特徴とする請求項１ないし請求項４のいずれかに記載のカラー見本帳。
このことにより、そのカラーカードでのメインカラーの識別や認識が容易であり、そのメインカラーとマッチングした色をより容易に選択することができる。
【００５６】
・  前記メインカラーがカラーカードに表示している色の中で、最も薄い淡色であることを特徴とする請求項１ないし請求項４のいずれかに記載のカラー見本帳。
このことにより、カラーカード間のメインカラーの明度が近くなり、全体的にまとまりがあり、淡色をメインカラーとしたことにより、明るいイメージのカラー見本帳となる。又、一番目立ち難い淡色を人為的に一番目立つようにすることにより、メインカラー以外の他の色のイメージが少なく、影響を受け難くなり、淡色に比べ印象が強い濃色，中間色などとのバランスが取れ、色の選択が比較的容易なものとなり、カラーカード全体として優れたものとなる。
【００５７】
・  前記メインカラーがカラーカードに表示している色の中で、中間的な中間色であることを特徴とする請求項１ないし請求項４のいずれかに記載のカラー見本帳。
このことにより、複数のカラーカードから色を選択する場合において、中間色のメインカラーから選択し、その選択した色があるカラーカードからその色より薄い色又は濃い色を確認し、最終的な色を決定することができる。又、そのカラーカードの隣りなど近くにあるカラーカードにある色からも確認し、最終的な色を決定することができる。
【００５８】
・  留め具を用いて束ねたことを特徴とする請求項１ないし請求項４のいずれかに記載のカラー見本帳。
このことにより、１枚単位のカラーカードがバラバラになることなく、そのカラーカードの順番を乱すことなく、カラー見本帳の使用，保管することができる。
【図面の簡単な説明】
【００５９】
【図１】色相環（色相全体を１０分割したもの）を示したもの。
【図２】色相全体を４０分割した色相環を示したもの。
【図３】それぞれの色相範囲を示したもの。
【図４】色相範囲が無い場合の一例を示したもの。
【図５】留め具を用いて束ねたカラー見本帳の一例を示したもの。
【図６】カラー見本帳を広げた状態を示したもの。
【符号の説明】
【００６０】
１１…カラー見本帳。１２…カラーカード。１３…留め具。１４…淡色表示部。１５…中間色表示部。１６…濃色表示部。
【図１】
2005227532.tif 000002
【図２】
2005227532.tif 000003
【図３】
2005227532.tif 000004
【図４】
2005227532.tif 000005
【図５】
2005227532.tif 000006
【図６】
2005227532.tif 000007